(57)【要約】【課題】同じ口径で主鏡支持構造の変形の許容精度が同じ場合に、従来よりも軽量なアンテナ装置を提供する。【解決手段】本発明に係るアンテナ装置は、指向方向へまたは指向方向からの電波を反射する主鏡１１と、主鏡１１を支持する主鏡支持構造部２と、主鏡支持構造部２を主鏡１１の指向方向の仰角を変更する軸である仰角軸周りに回転可能に支持する複数のＥＬ回転構造部４ａ，４ｂと、ＥＬ回転構造部４ａ，４ｂを主鏡１１の指向方向の方位角を変更する軸である方位角軸周りに回転可能に支持するＡＺ回転構造部５とを備えたアンテナ装置である。ＥＬ回転構造部４ａは、主鏡支持構造部２の中心から仰角軸方向に沿って等距離の両側の位置にそれぞれ一個ずつ設けられる。さらに、２個のＥＬ回転構造部４ａの間に少なくとも一個のＥＬ回転構造部４ｂが設けられる。【選択図】      図８
2017103630.tif 000002
【特許請求の範囲】
【請求項１】
指向方向へまたは指向方向からの電波を反射する主鏡と、
前記主鏡を支持する主鏡支持構造部と、
前記主鏡の指向方向の仰角を変更する軸である仰角軸周りに前記主鏡支持構造部を回転可能に支持する複数の仰角回転構造部と、
前記主鏡の指向方向の方位角を変更する軸である方位角軸周りに前記仰角回転構造部を回転可能に支持する方位角回転構造部と
を備えたアンテナ装置であって、
複数の前記仰角回転構造部は、前記主鏡支持構造部の中心から仰角軸方向に沿って等距離の両側の位置にそれぞれ一個ずつ設けられ、さらに、前記両側の位置の間に少なくとも一個設けられる
ことを特徴とするアンテナ装置。
【請求項２】
前記主鏡支持構造部の前記主鏡が存在しない側に、前記仰角軸周りに回転する部分の重心を前記仰角軸に近づける重さと位置で設けられたカウンターウェイトを備え、
それぞれの前記仰角回転構造部は、主鏡支持構造部に接続された主鏡側部材と、前記方位角回転構造部に接続された架台側部材と、前記主鏡側部材を前記架台側部材に対して回転可能とするベアリングとを有し、
前記カウンターウェイトを前記主鏡支持構造部に接続する部材と接続した前記主鏡側部材を有する前記仰角回転構造部を有する
ことを特徴とする請求項１に記載のアンテナ装置。
【請求項３】
前記カウンターウェイトを前記主鏡支持構造部に接続する部材と接続した前記主鏡側部材を有する前記仰角回転構造部が前記カウンターウェイトと同数である
ことを特徴とする請求項２に記載のアンテナ装置。
【請求項４】
前記主鏡支持構造部の中心から仰角軸方向に沿って等距離の両側の位置に設けられた偶数個の前記仰角回転構造部を有する
ことを特徴とする請求項１から請求項３のいずれか１項に記載のアンテナ装置。
【請求項５】
前記主鏡支持構造部の中心に設けられた１個の前記仰角回転構造部を備えた
ことを特徴とする請求項１から請求項４のいずれか１項に記載のアンテナ装置。
【発明の詳細な説明】
【技術分野】
【０００１】
本発明は、アンテナ装置に関し、特に主鏡の変形を抑制するアンテナ装置の構造に関する発明である。
【背景技術】
【０００２】
大型アンテナ装置にあっては、アンテナの主鏡面を支持する主鏡支持構造部を設けると共に、主鏡支持構造部をその中央の環状部分の両端に設けられた２個の支持体で支持していた（例えば、特許文献１参照）。口径が大きいアンテナ装置にあっては、２個の支持体の間隔が広がり、自重による主鏡支持構造部の中央部分の変形が増大する。このような中央部分の変形の増大は、アンテナの主鏡の鏡面精度の劣化の原因となるため、極力小さくする必要がある。また、使用する電波の周波数が高い場合においても、要求される鏡面精度は厳しくなるため、主鏡の変形を小さくする必要がある。そこで、主鏡支持構造部の変形を抑制するために、主鏡支持構造部の厚みを増加させて断面二次モーメントを大きくする方法、あるいは追加の補強部材を主鏡支持構造部に設ける方法が一般的に用いられている。
【先行技術文献】
【特許文献】
【０００３】
【特許文献１】特開２００３−０８７０１６号公報
【発明の概要】
【発明が解決しようとする課題】
【０００４】
しかしながら、上記の方法を用いて主鏡支持構造部の変形を抑制する場合、口径が同じでも実現すべき鏡面精度の要求精度が高くなるとアンテナ装置が重くなる。口径が大きくなると、従来の方法では、アンテナ装置の重量は急激に増加する。アンテナ装置の重量はコストに直結し、重いことは望ましくない。
【０００５】
本発明は、上述のような課題を解決するためになされたもので、その目的は、同じ口径で主鏡支持構造部の変形の許容精度も同じアンテナ装置において、従来よりも軽量なアンテナ装置を得ることである。
【課題を解決するための手段】
【０００６】
本発明に係るアンテナ装置は、指向方向へまたは指向方向からの電波を反射する主鏡と、主鏡を支持する主鏡支持構造部と、主鏡支持構造部を主鏡の指向方向の仰角を変更する軸である仰角軸周りに回転可能に支持する複数の仰角回転構造部と、仰角回転構造部を主鏡の指向方向の方位角を変更する軸である方位角軸周りに回転可能に支持する方位角回転構造部とを備えたアンテナ装置であって、複数の仰角回転構造部は、主鏡支持構造部の中心から仰角軸方向に沿って等距離の両側の位置にそれぞれ一個ずつ設けられ、さらに、両側の位置の間に少なくとも一個設けられる。
【発明の効果】
【０００７】
本発明に係るアンテナ装置によれば、同じ口径で主鏡支持構造部の変形の許容精度も同じ場合に、従来よりも軽量なアンテナ装置を得ることができる。
【図面の簡単な説明】
【０００８】
【図１】従来のアンテナ装置全体の側面図及び背面図である。
【図２】従来のアンテナ装置の主鏡支持構造部及びＥＬ回転構造部の斜視図である。
【図３】従来のアンテナ装置のＥＬ回転構造部を説明するための部分拡大断面図である。
【図４】図１（ｂ）に示すＡ−Ａ断面におけるＡＺ回転構造部の断面図である。
【図５】実施の形態１に係るアンテナ装置のＥＬ回転構造部を説明するための斜視図である。
【図６】実施の形態１に係るアンテナ装置が天頂を向いた場合における側面図及び背面図である。
【図７】実施の形態１に係る主鏡支持構造部を支持する構造の要部を説明するための断面模式図である。
【図８】実施の形態１に係るアンテナ装置の断面模式図である。
【図９】比較例としての従来のアンテナ装置の主鏡支持構造部及び主鏡の自重変形を示す断面模式図である。
【図１０】実施の形態１に係る主鏡支持構造部及び主鏡の自重変形を示す模式断面図である。
【図１１】実施の形態２に係るアンテナ装置の断面模式図である。
【発明を実施するための形態】
【０００９】
実施の形態１．
本発明の実施の形態１を説明する前に、まずは従来のアンテナ装置について説明する。図１は、従来のアンテナ装置の側面図及び背面図である。図１（ａ）は、従来のアンテナ装置の側面図であり、図１（ｂ）は、従来のアンテナ装置の背面図である。アンテナ１の方位角を変更する回転中心となる鉛直な軸をＡＺ（Ａｚｉｍｕｔｈ）軸または方位角軸と呼び、仰角を変更する回転中心となる水平な軸をＥＬ（Ｅｌｅｖａｔｉｏｎ）軸または仰角軸と呼ぶ。以下の図では、「ＡＺ」と表記している軸がＡＺ軸であり、「ＥＬ」と表記している軸がＥＬ軸であるものとする。
【００１０】
従来のアンテナ装置５００は、アンテナ１、アンテナ１の主鏡１１を支持する主鏡支持構造部２及び主鏡骨組３を有する。また、仰角方向にアンテナ１を回転させると共に、主鏡支持構造部２を支持する仰角回転構造部としてのＥＬ回転構造部４ａを有する。アンテナ装置５００は、方位角軸周りにアンテナ１を回転させる方位角回転構造部としてのＡＺ回転構造部５を有する。さらにＥＬ回転構造部４ａ及びＡＺ回転構造部５の回転を駆動するモータと、アンテナ装置５００のＥＬ軸周りに回転する部分の重心をＥＬ軸の上または近くに配置するためのカウンターウェイト６と、ＥＬ回転構造部４ａを駆動するＥＬ駆動構造部７とを備える。
【００１１】
図１に示す通り、アンテナ１は、カセグレン方式のアンテナであり、幾何光学的に設計されたものである。アンテナ１は、指向方向へまたは指向方向からの電波を反射する主鏡１１、送信電波または主鏡で反射された受信電波を反射する副鏡１２及び、送信電波を副鏡１２に向けて放射し副鏡１２で反射された受信電波を受信するホーン１３から構成されている。主鏡１１は、通信対象と正対するように、ＡＺ軸周り及び地面に対して水平なＥＬ軸周りにアンテナの向きを変更できる。本発明は、カセグレン方式とは異なる方式のアンテナ装置にも適用できる。
【００１２】
図１に示す通り、環状の主鏡支持構造部２は、環状の形を維持できるように、内部にフレームが設けられている。また、主鏡支持構造部２の側面には、トラス構造を有する主鏡骨組３が放射状にボルトで固定されている。主鏡支持構造部２及び主鏡骨組３には、一方の側に主鏡１１が鏡面調整機構を介してボルトで固定されている。鏡面調整機構は、主鏡１１の主鏡面を理想的な放物面の形状に保つために設けられている。なお、図１（ａ）では、図を見やすくするために、主鏡骨組３は鉛直方向のものだけを書いている。
【００１３】
図２は、図１に示したアンテナ装置５００の主鏡支持構造部２及びＥＬ回転構造部４ａを説明するための斜視図である。図３は、ＥＬ回転構造部４ａの部分拡大図である。
【００１４】
ＥＬ回転構造部４ａを説明する前に、図２を用いてカウンターウェイト６及びＥＬ駆動構造部７を説明する。環状の主鏡支持構造部２のＥＬ軸方向の直径の両端の中心を挟み対称な位置に、ＥＬ軸に垂直に外形が半円状である板状の２個のＥＬ駆動構造部７が設けられる。ＥＬ駆動構造部７は、その外周にＥＬ駆動用ギヤ８を有し、主鏡支持構造部２の主鏡１１とは反対側に固定されている。ＥＬ駆動用ギヤ８は、ＥＬ駆動構造部７を回転させるためのものであり、主鏡１１の仰角が小さい場合に下側になるＥＬ駆動構造部７の部分に設けられている。ＥＬ駆動用ギヤ８は、ＡＺ回転構造部５に固定されたギヤボックス（図示省略）とかみ合い、ギヤボックスにより駆動される。また、ＥＬ駆動構造部７の主鏡支持構造部２から遠い側には、カウンターウェイト６が配置されている。ＥＬ駆動構造部７は、フレーム構造であり、半円状のフレームとその内部を結ぶフレームを有する。環状の主鏡支持構造部２の内側には、ＥＬ駆動構造部７及びカウンターウェイト６の荷重を分散して支持できるように、ＥＬ駆動構造部７と接続するフレームを設けている。
【００１５】
カウンターウェイト６は、ＥＬ軸周りの回転に要する力を小さくするため、アンテナ装置５００のＥＬ軸回りに回転する部分の重心をＥＬ軸に一致または近づけるような重さと位置で、主鏡支持構造部２の主鏡１１とは反対側に配置される。ここで、板状に形成されたカウンターウェイト６は、図２に示すように、外形が半円状でフレーム構造のＥＬ駆動構造部７の主鏡支持構造部２から遠い部分で、主鏡支持構造部２に平行な弦と円弧との間に設けられた板状の部分である。なお、ＥＬ駆動構造部７など、主鏡支持構造部２の主鏡１１とは反対側に存在する部材は、広い意味でのカウンターウェイトである。
【００１６】
図１から図３を参照しつつ、ＥＬ回転構造部４ａを説明する。図２では、ＥＬ回転構造部４ａが２個設けられている。２個のＥＬ回転構造部４ａは、主鏡支持構造部２のＥＬ軸方向の直径の両端の中心から等距離の位置にそれぞれ設けられている。
【００１７】
図３に示すようにＥＬ回転構造部４ａは、固定部付シャフト４１、ベアリング４２、及び架台接続支持体４３から構成される。なお、図３では、主鏡支持構造部２とＡＺ回転構造部５は、実際の構造を示していないため、点線で示す。固定部付シャフト４１は、主鏡支持構造部２に固定される固定部と水平な円筒状の部材であるシャフトとが連結したものである。架台接続支持体４３は、固定部付シャフト４１を支持する部材でありＡＺ回転構造部５に設けられた支持用フレームに固定されて支持される。架台接続支持体４３には、貫通穴または凹部が設けられる。貫通穴または凹部に、固定部付シャフト４１のシャフトが挿入される。シャフトと架台接続支持体４３の間には、円滑に回転できるようにベアリング４２が設けられる。
【００１８】
図２に示すように２個のＥＬ回転構造部４ａが有する固定部付シャフト４１は、環状の主鏡支持構造部２の主鏡１とは反対側に設けられる。また、２個の固定部付シャフト４１がそれぞれ有するシャフトの中心線が一致し、この中心線を主鏡支持構造部２に平行な平面に射影すると主鏡支持構造部２の中心を通過するように、かつ、２個の固定部付シャフト４１が互いに対向するように設けられる。
【００１９】
また、ＥＬ回転構造部４ａは、固定部付シャフト４１及びベアリング４２により主鏡支持構造部２を仰角軸周りに回転可能にすると共に、架台接続支持体４３により主鏡支持構造部２を支持する。
【００２０】
図４は、図１（ｂ）に示すＡ−Ａ断面におけるＡＺ回転構造部５の断面図である。図４に示す通り、ＡＺ回転構造部５は、ＡＺ架台５１、車輪５２、土台５３及びレール５４から構成されている。ＡＺ架台５１の下には、土台５３と、この土台５３上に敷設された円状のレール５４とが設けられている。
【００２１】
ＡＺ架台５１は、レール５４の上に同一円周上に位置するように設けられた設置面側の６点と２個の架台接続支持体４３との間を連結する斜めのフレームを有する。また、設置面に近い部分と、ＥＬ回転構造部４ａの下側の位置に水平方向のフレームを有する。ＥＬ回転構造部４ａの下側に存在してＥＬ回転構造部４ａを支持するフレームを、支持用フレーム５５（図７に図示）と呼ぶ。ＥＬ回転構造部４ａの下側の位置に設けられたＡＺ架台５１の水平方向のフレームにより、ギヤボックスが支持されている。設置面側の６点には、車輪５２が設けられる。車輪５２がレール５４上を移動することでＡＺ架台５１の方位角が変更される。
【００２２】
次に、アンテナ１による電波の送信及び受信の方法について図１を用いて説明する。主鏡１１の表面は、放物面になるように形成されている。副鏡１２は、主鏡１１の焦点とホーン１３の開口中心を焦点とする双曲面を有する。ホーン１３は、電波を送信する場合には一次放射器として用いられ、電波を受信する場合には受波器として用いられる。ホーン１３は、円錐形の円錐ホーンアンテナで、副鏡１２に大半の電波が受け渡されるような開口径の比較的小さなものである。
【００２３】
電波を送信する場合には、ホーン１３は、副鏡１２に向けて電波を出射する。次に、ホーン１３により出射された電波は、副鏡１２の双曲面にて反射され、主鏡１１の放物面に入射する。主鏡１１の放物面に入射した電波は、放物面にて反射されて主鏡１１の放物面の対称軸方向と平行な方向すなわち指向方向に出射される。このように、電波を送信する際には、良好な指向特性をもって電波を送信することができる。電波を受信する場合には、まず、主鏡１１の放物面に電波が入射する。入射した電波は、主鏡１１の放物面で反射されて、副鏡１２に入射する。次に電波は、副鏡１２の双曲面で反射されてホーン１３の開口中心に入射する。
【００２４】
主鏡１１の主鏡面が理想的な放物面からずれた場合について説明する。電波を送信する際には、ホーン１３から出射された電波が主鏡１１の指向方向からずれた方向に出射されるため、送信する電波の指向性が低下する。また、電波を受信する際には、主鏡１１により受信された電波が、副鏡１１を介してホーン１３の開口中心に集中しないため、受信する信号のＳＮ比（信号対雑音比）が悪化する。
【００２５】
以上、従来のアンテナ装置５００の構成の説明を行った。次に、本発明に係るアンテナ装置１００について説明する。なお、以下の図において、アンテナ装置５００と同一、あるいは、対応する構成については同一符号を付し、それらの構成の説明は繰り返さない。
【００２６】
図５から図７を参照しつつ、本実施の形態に係るアンテナ装置１００の要部である主鏡支持構造部２をＥＬ軸の周りに回転可能に支持する構造について説明する。図５は、本発明の実施の形態１に係るアンテナ装置１００のＥＬ回転構造部４ａ，４ｂを説明するための斜視図である。図６は、実施の形態１に係るアンテナ装置１００が天頂を向いた場合における側面図及び背面図である。図６（ａ）は、アンテナ装置１００が天頂を向いた場合におけるアンテナ装置１００の側面図である。図６（ｂ）は、アンテナ装置１００が天頂を向いた場合におけるアンテナ装置１００の背面図である。なお、図６（ｂ）に示す通り、従来のアンテナ装置５００も備えていた２個のＥＬ回転構造部４ａに加えて、さらにＥＬ回転構造部４ｂが２個設けられている。図７は、実施の形態１に係る主鏡支持構造部２を支持する構造の要部を説明するための断面模式図である。また、図を簡潔にするためハッチングを省略して記載している。
【００２７】
図６（ｂ）、図７に示す通り、実施の形態１に係るアンテナ装置１００は、従来の外側に設けられた２個のＥＬ回転構造部４ａに加え、さらにその内側に２個のＥＬ回転構造部４ｂが設けられている。外側のＥＬ回転構造部４ａは、架台接続支持体４３に設けられた回転軸が、主鏡支持構造部２に固定された主鏡側部材に設けられた貫通穴にベアリングを介して挿入されている。内側のＥＬ回転構造部４ｂは、従来のアンテナ装置５００が有するＥＬ回転構造部４ａと同様な構造である。ＥＬ回転構造部４ｂは、架台接続支持体４３に設けられた貫通穴にベアリング４２を介して、主鏡支持構造部２に固定された固定部付シャフト４１が挿入されている。固定部付シャフト４１のシャフト部分は、内部が空洞であり、図に示すように、円筒形をしている。ＥＬ回転構造部４ｂのシャフト部分は、ＥＬ回転構造部４ａのシャフト部分に比べて、その直径がより大きく形成されている。なお、シャフト部分の空洞には、ホーン１３で放射する電気信号を伝える配線と、主鏡１１及び副鏡１２で反射されホーン１３で受信した電波による信号の配線を通す場合がある。
【００２８】
ＥＬ回転構造部は、主鏡支持構造部に接続された主鏡側部材と、方位角回転構造部に接続された架台側部材と、主鏡側部材を架台側部材に対して回転可能とするベアリングとを有し、主鏡側部材を回転可能に支持できるものであれば、どのような構成でもよい。
【００２９】
従来のアンテナ装置５００と比較して、図７で示す通り、ＡＺ架台５１には、支持用フレーム５５の上にＥＬ回転構造部４ｂの一部である架台接続支持体４３が２個、追加で設けられている。２個のＥＬ回転構造部４ａと２個のＥＬ回転構造部４ｂとは、合計４個の架台接続支持体４３により主鏡支持構造部２を支持している。２個のＥＬ回転構造部４ａ及び２個のＥＬ回転構造部４ｂで主鏡支持構造部２を支持することで、ＥＬ回転構造部どうしの間の間隔が狭くなり、主鏡支持構造部２及び主鏡１１の自重による主鏡支持構造部の変形（以下、「自重変形」と呼ぶ。）を効果的に抑制することができる。
【００３０】
図８は、実施の形態１に係るアンテナ装置１００の断面模式図である。図中、図を簡潔にするためハッチングを省略して記載している。また、主鏡支持構造部２の主鏡１１とは反対側には、２個の外側のＥＬ回転構造部４ａと、ＥＬ回転構造部４ａの内側に設けられた２個のＥＬ回転構造部４ｂとが接続されている。２個のＥＬ回転構造部４ａは、主鏡支持構造部２のＥＬ軸方向の直径の両端（以下、「主鏡支持構造部２の両端」と称す。）にそれぞれ設けられる。また、２個のＥＬ回転構造部４ｂは、２個のＥＬ回転構造部４ａの内側に設けられると共に、主鏡支持構造部２の両端の中心から等距離の位置にそれぞれ設けられる。すなわち、２個の内側のＥＬ回転構造部４ｂが、２個の外側のＥＬ回転構造部４ａの間に設けられる。また、２個の内側のＥＬ回転構造部４ｂは、主鏡支持構造部２のＥＬ軸方向の直径の両端の中心を挟んで中心から等距離の位置にそれぞれ設けられている。
【００３１】
２個のＥＬ回転構造部４ｂの主鏡側部材は、カウンターウェイト６を主鏡支持構造部２に接続する部材（以下、「カウンターウェイト接続部材」と呼ぶ。）と接続するように構成されている。そうすることで、カウンターウェイト６を主鏡支持構造部に接続する箇所がＥＬ回転構造部の間に存在する場合よりも、カウンターウェイト６により主鏡支持構造部２にかかる曲げモーメントを小さくでき、その結果、主鏡支持構造部２の変形を小さくできる。主鏡支持構造部２の直径、ＥＬ回転構造部及びカウンターウェイトの設置箇所は、アンテナ装置ごとに適切に決める。両端に位置する２個のＥＬ回転構造部４ａではないＥＬ回転構造部４ｂは、環状の主鏡支持構造部２の中心に対して対称の位置に設けることが望ましいが、対称の位置でなくてもよい。すべてのカウンターウェイト６に対応させて、カウンターウェイト接続部材と接続する主鏡側部材を設けることが望ましいが、ＥＬ回転構造部４ｂの主鏡側部材を、カウンターウェイト接続部材とは独立した部材として構成してもよい。
【００３２】
２個の外側のＥＬ回転構造部４ａと２個の内側のＥＬ回転構造部４ｂは、それぞれのベアリング４２の回転軸が同一直線上になるように配置される。つまり、ＥＬ回転構造部４ａ，４ｂがＥＬ回転軸として同一の固定部付シャフト４２のシャフトを共有するのではないが、それぞれのシャフトがベアリング４２を介して回転するそれぞれの回転軸が同一直線上を通るように構成している。そうすることで、ＥＬ回転構造部４ａ，４ｂが、同じシャフトを共有する場合と同様にＥＬ回転軸として機能する。ＡＺ架台５１は、４個のＥＬ回転構造部のそれぞれのベアリング４２の回転軸が同一直線上になるように位置を調整することが可能な調節機構を有する。なお、複数のＥＬ回転構造部で共有されるシャフトを有するような構成としてもよい。
【００３３】
図９は、比較例としての従来のアンテナ装置の主鏡支持構造部及び主鏡の自重変形を示す断面模式図である。従来のアンテナ装置５００は、外側のＥＬ回転構造部４ａだけで主鏡支持構造部２及び主鏡１１をＥＬ軸周りに回転可能に支持する場合である。図９（ａ）は、ＥＬ軸及びＡＺ軸を含む平面での断面模式図である。図９（ｂ）は、ＥＬ軸に垂直なＡＺ軸を含む平面での断面図である。図１０は、実施の形態１に係る主鏡支持構造部及び主鏡の自重変形を示す模式断面図である。図１０では、図９（ａ）と同じ位置での断面図を示す。図９及び図１０では、破線は自重変形前の主鏡支持構造部２を示し、実線は自重変形後の主鏡支持構造部２を示している。
【００３４】
アンテナ正面から見た図９（ａ）では、ＥＬ回転構造部４ａで支持されているため、主鏡支持構造部２の両端ではほとんど変形せず、主鏡支持構造部２の両端の間にＥＬ回転構造部４ｂが設けられていないため、カウンターウェイト６の荷重がかかる中央部が大きく落ち込むように変形することがわかる。アンテナ側面から見た図９（ｂ）では、ＥＬ軸に垂直な平面では主鏡支持構造部２を支持する箇所が無いので、主鏡全体が沈み、さらに鏡面の自重により主鏡両端の変形が生じる。全体で見た場合、鞍型の変形を生じている。鞍型の変形では、ＥＬ軸方向での下向きに凸の度合いが大きく、ＥＬ軸と垂直な方向で下向きに凸の度合いが理想的な鏡面である放物面よりも小さい。この鞍型の変形は理想鏡面からの乖離が大きく、その結果、鏡面精度劣化量が大きくなり、アンテナ性能が劣化する。
【００３５】
従来のアンテナ装置では、必要とする鏡面精度から決まる主鏡支持構造部の変形の許容精度を満足するために、実際には、主鏡支持構造部の高さを高くするなどの対策が取られる。その結果、従来のアンテナ装置の重量はかなり重くなる。
【００３６】
一方で、図１０では、２個のＥＬ回転構造部４ａの間に２個のＥＬ回転構造部４ｂが設けられている。このため、主鏡支持構造部２の両端の間において、図９（ａ）と比較して、自重変形が大幅に低減されている。これは、ＥＬ回転構造部４ｂを追加したことで、ＥＬ回転構造部４ｂの位置での主鏡支持構造部２の落ち込みがなくなるためである。また、主鏡１１の主鏡面の変形も図９（ａ）と比較して、図１０ではより自重変形を抑制することができている。２個のＥＬ回転構造部４ｂを追加で設けたアンテナ装置の重量は、例えば主鏡支持構造部の高さを高くしたアンテナ装置の重量よりも軽くなる。
【００３７】
以上の構成から、ＥＬ回転構造部４ｂを設けることで、主鏡支持構造部２の両端の間の自重変形を低減できる。さらに、主鏡支持構造部２の高さ寸法を大きくした場合及び主鏡支持構造部２に補強を施した場合と同等以上の鏡面精度が実現可能となる。主鏡支持構造部２の高さ寸法を大きくした場合及び主鏡支持構造部２に補強を施した場合と比較して、ＥＬ回転構造部４ｂを設けることで構造部材が削減でき、同じ口径で同じ変形の許容精度のアンテナ装置を、従来よりもアンテナ装置全体の重量の低減すなわち軽量化して製造することが可能となる。さらに、重量増加に伴う基礎への負担も低減するため、地盤改良などに要するコスト、工期の短縮など、アンテナ装置全体のコスト削減に大きく寄与することになる。
【００３８】
なお、実施の形態１においては、２個のＥＬ回転構造部４ａ及び２個のＥＬ回転構造部４ｂを主鏡支持構造部２の主鏡１１とは反対側にＡＺ軸を含みＥＬ軸に垂直な平面に対称に配置しているが、合計４個以上の偶数個のＥＬ回転構造部４ｂを主鏡支持構造部２の主鏡１１とは反対側にＡＺ軸を含みＥＬ軸に垂直な平面に対称に配置させてもよい。
【００３９】
実施の形態２．
図１１は、実施の形態２に係るアンテナ装置２００の断面模式図である。なお、図１１では、図を簡潔にするためハッチングを省略して記載している。実施の形態１に係るアンテナ装置１００と比較して、本実施の形態に係るアンテナ装置２００は、主鏡支持構造部２の両端の中心にＥＬ回転構造部４ｂを有する構成が異なる。また、実施の形態１ではカウンターウェイト６を２個有する代わりに、実施の形態２ではカウンターウェイト６を１個のみ有する構成も異なる。なお、その他の構成については、実施の形態１と同一または対応する構成である。図中、同一符号は、同一または相当部分を示しそれらについての説明は繰り返さない。
【００４０】
実施の形態２に係るアンテナ装置２００では、ＥＬ回転構造部４ｂが１個であるが、ＥＬ回転構造部４ｂの主鏡側部材は、カウンターウェイト接続部材と接続するように構成されている。そのため、カウンターウェイト６の荷重による主鏡支持構造部の変形を小さくできる。なお、ＥＬ回転構造部の間の間隔が実施の形態１のアンテナ装置１００の２倍程度になり、主鏡及び主鏡支持構造部の荷重による変形を抑える効果は、アンテナ装置１００よりも小さくなる。実施の形態１のアンテナ装置１００と比較してＥＬ回転構造部４ｂの数を減らしているため、主鏡支持構造部の変形を抑えた、かつアンテナ装置の軽量化を図る上では実施の形態１のアンテナ装置１００よりも有利である。
【００４１】
なお、実施の形態２においては、主鏡支持構造部２の両端の中心にもＥＬ回転構造部４ｂを配置しており、１個のＥＬ回転構造部４ｂを２個のＥＬ回転構造部４ａの間に配置した構成であるが、３個以上の奇数個のＥＬ回転構造部４ｂを主鏡支持構造部２の主鏡１１とは反対側に配置した構成にしてもよい。
【符号の説明】
【００４２】
２  主鏡支持構造部
４ａ，４ｂ  ＥＬ回転構造部（仰角回転構造部）
５  ＡＺ回転構造部（方位角回転構造部）
６  カウンターウェイト
１１  主鏡
１２  副鏡
４１  固定部付シャフト（主鏡側部材）
４２  ベアリング
４３  架台接続支持体（架台側部材）
【図１】
2017103630.tif 000003
【図２】
2017103630.tif 000004
【図３】
2017103630.tif 000005
【図４】
2017103630.tif 000006
【図５】
2017103630.tif 000007
【図６】
2017103630.tif 000008
【図７】
2017103630.tif 000009
【図８】
2017103630.tif 000010
【図９】
2017103630.tif 000011
【図１０】
2017103630.tif 000012
【図１１】
2017103630.tif 000013